(57)【特許請求の範囲】
【請求項１】
コイン類の投入を検出するコイン検出手段の出力を計数する計数手段と、計数手段で計数された計数値および該計数値に基づくコイン類の投入金額の少なくとも一方を表示するに際して、それらをバーコード表示する表示手段とを備え、
前記計数手段および前記表示手段はケース内に配備され、
前記表示手段は、前記バーコードを表示する液晶表示部と、該液晶表示部を駆動する駆動回路とを備え、
前記計数手段は、前記コイン検出手段の出力パルスの内、一定時間当たりの出力レベルの変化量が所定値以上である出力パルスのみを計数するとともに、
前記コイン検出手段の出力が前記計数手段の入力部と機器本体のコイン検出信号入力部とにそれぞれ入力されるように、前記コイン検出手段と前記計数手段の入力部との間の信号ラインと、前記機器本体のコイン検出信号入力部と前記コイン検出手段との間の信号ラインとを、前記ケース内で共通に接続していることを特徴とするバーコード表示装置。
【発明の詳細な説明】
【０００１】
【発明の属する技術分野】
本発明は、バーコード表示を行うバーコード表示装置に関し、さらに詳しくは、例えば、ゲーム機や各種のアミューズメントマシンなどを動作させるために投入される主としてコイン（貨幣）やそれに代わるメタルなどの投入個数や投入金額をバーコード表示するのに好適なバーコード表示装置に関する。
【０００２】
【従来の技術】
従来、例えばゲーム機においては、コインやメタル、紙幣、パチンコ玉等の貨幣代替品（以下「コイン類」という）の投入個数を電磁カウンタなどを用いて機械的に計数し、その計数値をアラビア数字によってディスプレイ部に表示させる一方、その表示された計数値を目視で読み取って、その後のデータ処理により売上管理および商品管理を行っていた。
【０００３】
【発明が解決しようとする課題】
このような従来例では、表示された計数値の読み取りを目視に頼っているために、人的な読み取りミスがあった場合、その後のデータ処理にも誤りが生じて売上管理および商品管理が不正確なものとなる問題がある。
【０００４】
また、表示される計数値は、機械知識に精通している者であれば、電磁カウンタなどの操作によって改竄可能であり、そのために、悪意をもって計数値を変更すれば、実際の売上を誤魔化す不正も可能である。このような誤魔化しによる不正や盗難を防ぐために、計数値の読み取りとゲーム機内に蓄積されているコイン類の収集（集金）とを別々に行って両者を照合する方法も考えられるが、この場合は、読み取り専従者と収集（集金）専従者との二人を必要とする難点がある。
【０００５】
本発明は、上述の点に鑑みて為されたものであって、例えばコイン類の投入個数や投入金額といった数値データを特定の人以外に容易に知られないようにして改竄等の誤魔化しによる不正や盗難などを確実に防止できるとともに、目視による読み取り誤りのような人的ミスを招くことなく、売上などを正確かつスピーディに管理するのに好適なバーコード表示装置を提供することを目的とする。
【０００６】
【課題を解決するための手段】
本発明では、上述の目的を達成するために、次のように構成している。
【０００７】
本発明のバーコード表示装置は、コイン類の投入を検出するコイン検出手段の出力を計数する計数手段と、計数手段で計数された計数値および該計数値に基づくコイン類の投入金額の少なくとも一方を表示するに際して、それらをバーコード表示する表示手段とを備え、前記計数手段および前記表示手段はケース内に配備され、前記表示手段は、前記バーコードを表示する液晶表示部と、該液晶表示部を駆動する駆動回路とを備え、前記計数手段は、前記コイン検出手段の出力パルスの内、一定時間当たりの出力レベルの変化量が所定値以上である出力パルスのみを計数するとともに、前記コイン検出手段の出力が前記計数手段の入力部と機器本体のコイン検出信号入力部とにそれぞれ入力されるように、前記コイン検出手段と前記計数手段の入力部との間の信号ラインと、前記機器本体のコイン検出信号入力部と前記コイン検出手段との間の信号ラインとを、前記ケース内で共通に接続している。
【０００９】
また、電池を内蔵させるとともに、該電池の残量を監視する監視手段を設け、前記表示手段で、電池の残量が所定レベル以下であるか否かに応じた表示を行なわせてもよく、その際、バーコード表示の近接位置に、電池形状の電池マークを用いて残量表示を行ってもよい。
【００１０】
表示開始スイッチを設け、この表示開始スイッチの操作に応答して、前記表示手段で、一定期間バーコード表示を行ってもよい。
【００１１】
前記計数手段では、前記コイン検出手段の出力パルスの内、所定のパルス幅を有する出力パルスのみを計数するようにしてもよく、さらに、一定時間当たりの出力レベルの変化量が、所定値以上である出力パルスのみを計数するようにしてもよい。
【００１２】
前記コイン類は、コインあるいはメタル、紙幣、パチンコ玉等の貨幣代替品のいずれか一つまたはそれらの組み合わせであってもよく、前記コイン検出手段は、ゲーム機、アミューズメントマシンあるいは自動販売機に備えられるものであってもよい。
【００１３】
また、前記バーコードは、ＪＩＳ標準物流コード相当のコードであってもよい。
【００１４】
本発明のバーコード表示装置によれば、コイン類の投入を計数してその計数値および計数値に基づく投入金額の少なくとも一方を表示するに際して、それらをバーコード表示するようにしているので、コイン類の投入個数や投入金額を、特定の人以外に知られることなく、バーコードリーダを利用して正確、かつスピーディに集計することができ、目視による読み取りミスや改竄等の悪意の誤魔化しによる不正や盗難などの発生を回避することができる。
【００１５】
また、電池を内蔵することにより、外部からの電源の供給を受ける必要がなく、当該バーコード表示装置の設置箇所の自由度が高まり、さらに、電池の残量を監視して残量表示を行うことにより、電池切れによる動作不良を防止できることになる。
【００１６】
さらに、表示開始スイッチが操作されたときにのみ一定期間バーコード表示を行うことにより、消費電力の低減を図ることができる。
【００１８】
さらに、前記バーコードを、ＪＩＳ標準物流コード相当のコードとすることにより、読み取り易く、また、汎用のバーコードリーダを利用することができる。
【００１９】
【発明の実施の形態】
以下、図面によって本発明の実施の形態について詳細に説明する。
【００２０】
図１は、本発明に係るバーコード表示装置としてのバーコード表示カウンタが内部に装備されたゲーム機１の外観斜視図である。
【００２１】
ゲーム機１は、ゲーム内容などを表示する表示部２を正面に有するとともに、その手前側には、操作スティック３や操作ボタン４が配備された操作部が設けられており、さらに、その下方には、キャシュボックス５およびＰＣボードドア６が配備されている。
【００２２】
キャシュボックス５内部には、ゲームを開始するためにゲーム機１に投入されたコイン類が収納されるケースが内蔵されるとともに、適宜箇所に、本発明に係るバーコード表示カウンタが、後述する取り付け方法によって取り付けられており、さらに、このゲーム機１には、コイン類の投入を検出する後述のコイン検出スイッチが付設されている。
【００２３】
図２は、本発明に係るバーコード表示カウンタ７の正面図であり、図３は、図２の左方から見た側面図であり、図４は、図の上方から見た側面図であり、図５は、図２の背面図である。
【００２４】
このバーコード表示カウンタ７は、ゲーム機１へのコイン類の投入を検出するコイン検出スイッチの検出信号を計数し、その計数値、すなわち、コイン類の投入個数をバーコード表示するものである。
【００２５】
このバーコード表示カウンタ７の正面には、図２に示されるように、ドットマトリックスタイプの矩形の液晶表示部８が設けられるとともに、この液晶表示部８の側方には、一定期間に亘ってコイン類の計数値などをバーコード表示させるために操作される表示開始スイッチ９が設けられている。また、液晶表示部８の上方のケースの周縁部には、このバーコード表示カウンタ７を、ゲーム機内部のパネルにネジで取り付けるための一対のネジ孔１０が形成されているとともに、このネジ孔１０の外方には、バーコード表示カウンタ７を、ゲーム機１の内部に後述の取付金具を介して取り付けるための一対の貫通孔１１が形成されている。
【００２６】
バーコード表示カウンタ７の背面には、図４および図５に示されるように、前記取付金具に取り付ける際に、該取付金具に係合するＬ字状の一対のフック１２が突設されており、また、一方のフック１２の近傍位置には、ゲーム機１の本体に接続される４本の配線１３1〜１３4からなる外部配線１３が引き出されている。
【００２７】
図６は、このバーコード表示カウンタ７の内部構成を示す断面図である。
【００２８】
このバーコード表示カウンタ７は、上ケース１４ａおよび下ケース１４ｂからなるケース１４を有しており、このケース１４内には、電子部品が実装された回路基板１５が配備されるとともに、この回路基板１５の上方には、液晶表示部８を構成する反射型の液晶表示パネル１６および該パネル１６を保持するパネルホルダー１７が設けられており、また、回路基板１５の下面側には電源を供給する電池１８が設けられている。液晶表示パネル１６と回路基板１５とは、導電ゴム１９を介して接続されている。この回路基板１５は、ネジ２０によって上ケース１４ａに固定されるとともに、ケース１４外に臨むネジ２１によって下ケース１４ｂと共に上ケース１４ａに固定されている。回路基板１５を挟んで液晶表示パネル１６と電池１８とを配置しているので、回路基板１５の同一面側に両者を配置する構成に比べて、バーコード表示カウンタ７の投影面積を小さくできることになる。
【００２９】
このバーコード表示カウンタ７は、電池１８を内蔵しているので、外部から電源の供給を受ける必要がなく、当該カウンタ７の取り付け場所の選択の自由度が高まることになる。
【００３０】
なお、液晶表示パネル１６は、反射型に代えて透過型でもよいのは勿論である。
【００３１】
図７は、上記構成を有するバーコード表示カウンタ７を、図１のゲーム機１のキャッシュボックス内部のパネル２２の適宜箇所にネジ２３によって取り付けた状態を示す側面図であり、図８は、その正面図であり、図８において、斜線を施した部分は、パネル２２を示している。
【００３２】
パネル２２には、矩形の開口部２２ａが形成されており、この開口部２２ａからバーコード表示カウンタ７の液晶表示部８および表示開始スイッチ９が臨むように、当該カウンタ７を、一対のネジ２３によってネジ孔１０を介してパネル２２に取り付けるものである。
【００３３】
これによって、読み取り作業者Ｍは、ゲーム機１のキャッシュボックスを開放することにより、バーコード表示カウンタ７の表示開始スイッチ９を操作することにより、液晶表示部８に表示されるバーコードを目視できるとともに、図示しないハンディタイプのバーコードリーダによって液晶表示部８のバーコードを読み取ることができる。
【００３４】
なお、本発明の他の実施形態として、バーコード表示カウンタ７の液晶表示部８に対して、バーコードリーダの読み取り角度が、最も好ましい角度になるように、バーコードリーダをガイドするガイド部を、バーコード表示カウンタ７に付設してもよく、さらに、このガイド部の所定位置にバーコードリーダが当接することによって作動する表示開始スイッチを設けてもよい。
【００３５】
このバーコード表示カウンタ７は、上述のように、パネル２２に直接取り付けることもできるけれども、図９に示される取付金具２４を介してキャッシュボックス内の適宜の壁面に取り付けることもできる。
【００３６】
図９（Ａ）は、取付金具２４の正面図であり、図９（Ｂ）は、その側面図であり、図９（Ｃ）は、その底面図である。
【００３７】
この取付金具２４は、バーコード表示カウンタ７を支持する矩形板状の支持部２５と、該支持部２５の一辺から折曲された矩形板状の止着部２６とを備えている。
【００３８】
支持部２５には、バーコード表示カウンタ７の上述の一対のフック１２を係合させるための一対の係合孔２７が形成されるとともに、バーコード表示カウンタ７をネジ止め支持するためのネジ孔２８が４つの隅部に形成されている。互いに平行に延びる各係合孔２７は、その中央部が幅広に形成されており、図１０あるいは図１１に示されるように、この幅広部分からバーコード表示カウンタ７のフック１２を挿入し、当該カウンタ７を矢符Ａまたは矢符Ｂで示されるように上方あるいは下方にずらしてバーコード表示カウンタ７の貫通孔１１を、取付金具２４の上方または下方の一対のネジ孔２８に合わせて取付金具２４にネジ２９で固定するものである。
【００３９】
止着部２６には、図９（Ａ）に示されるように、バーコード表示カウンタ７を支持部２５に固定支持した状態で、当該取付金具２４を、キャッシュボックス内の適宜箇所の壁面にネジで止着するための一対の貫通孔３０が形成されている。上述の図１０あるいは図１１に示されるようにしてバーコード表示カウンタ７が取り付けられた取付金具２４を、図１２に示されるように、キャッシュボックス内の壁面７０あるいは底面７１にネジ３１によって止着するのである。
【００４０】
このように取付金具２４を利用することにより、取付箇所を任意に選ぶことができ、読み取り作業者Ｍは、ゲーム機１のキャッシュボックスを開放することにより、バーコード表示カウンタ７の表示開始スイッチ９を操作することにより、液晶表示部８に表示されるバーコードを目視できるとともに、図示しないハンディタイプのバーコードリーダによって液晶表示部８のバーコードを読み取ることができる。
【００４１】
しかも、取付金具２４は、折曲して形成されているので、この折曲角度によってバーコード表示カウンタ７の液晶表示部８を、読み取り易い角度に位置させることができる。
【００４２】
なお、取付金具２４は、金属製であったけれども、他の実施形態として、樹脂材料やその他の材料であってもよいのは勿論である。
【００４３】
図１３は、上記構成を有するバーコード表示カウンタ７と、ゲーム機１および該ゲーム機１に付設されているコイン検出スイッチ３２との接続構成を示す図であり、図１４は、図１３の内部構成を示すブロック図であり、対応する部分には、同一の参照符号を付す。
【００４４】
ゲーム機１には、投入されるコインを検出するコイン検出スイッチ３２が付設されており、このコイン検出スイッチ３２が、バーコード表示カウンタ７に一対の外部配線１３1，１３2で接続されており、さらに、このバーコード表示カウンタ７が、ゲーム機１のコイン検出信号入力部３３の電源側およびグランド側に一対の外部配線１３3，１３4でそれぞれ接続されている。
【００４５】
このゲーム機１は、コイン検出信号入力部３に、コイン検出スイッチ３２からの検出信号の入力があったときに、動作を開始してゲームが起動されるようになっている。
【００４６】
バーコード表示カウンタ７は、電源としての上述の電池１８と、この電池１８からの電源を各部に供給する電源回路部３７と、コイン検出スイッチ３２からの検出信号が入力されるカウント信号入力回路部３４と、このカウント信号入力回路部３４の出力を計数するとともに、上述の表示開始スイッチ９の操作に応答してＬＣＤドライバー３５を制御して一定期間に亘って液晶表示部８に計数値をバーコード表示するといった各種の制御を行う制御部（ＭＰＵ）３６とを備えている。
【００４７】
この図１４に示されるように、バーコード表示カウンタ７のカウント信号入力回路部３４は、一対の入力部３４1，３４2を有しており、この一対の入力部３４1，３４2に、コイン検出スイッチ３２との間の一対の外部配線１３1，１３2およびゲーム機１の本体のコイン検出信号入力部３３との間の一対の外部配線１３3，１３4の各信号ラインが、バーコード表示カウタ７の内部配線によって共通に接続されており、これによって、コイン検出スイッチ３２の検出信号は、バーコード表示カウンタ７のカウント信号入力回路部３４に与えられる一方、このバーコード表示カウンタ７の内部配線を介してゲーム機１の本体のコイン検出信号入力部３３に与えられる構成となっている。
【００４８】
したがって、例えば、ゲーム機１とバーコード表示カウンタ７との間の外部配線１３3，１３4を切断し、コイン類の投入に伴ってゲーム機１の動作は可能にしながら、コイン類の投入個数の計数を不能として不正に計数値を誤魔化そうとしても、外部配線１３3，１３4の切断によってゲーム機１のコイン検出信号入力部３３に、コイン検出スイッチ３２からの検出信号が与えられなくなって、ゲームを起動できなくなるので、かかる不正行為を有効に防止できる。
【００４９】
この実施形態のバーコード表示カウンタ７では、４本の外部配線の各一対１３1，１３2；１３3，１３4を、上述のように、コイン検出スイッチ３２およびゲーム機１のコイン検出信号入力部３３にそれぞれ接続するのであるが、この各一対の外部配線１３1，１３2；１３3，１３4を、コイン検出スイッチ３２またはコイン検出信号入力部３３のいずれに接続して差し支えないように、配線を無極性としており、これによって、配線箇所の極性を調べる必要がなく、専門の作業者でなくても簡単に配線できるように構成している。
【００５０】
すなわち、図１５は、図１４のカウント信号入力回路部３４の構成を示す回路図である。
【００５１】
同図において、３８は全波整流回路、３９は定電圧ダイオード、４０は電流制限抵抗、４１は抵抗４２およびコンデンサ４３からなるチャタリング除去回路、４４はフォトカプラである。
【００５２】
全波整流回路３８の入力部は、カウント信号入力回路部３４の一対の入力部３４1，３４2となっており、上述のように、コイン検出スイッチ３２およびゲーム機１のコイン検出信号入力部３３に共通に接続されており、この全波整流回路３８の出力は、電流制限抵抗４０およびチャタリング除去回路４１を介してフォトカプラ４４の発光素子４５に与えられ、このフォトカプラ４４の受光素子４６の出力は、上述の制御部３６に与えられるようになっている。
【００５３】
このカウント信号入力回路部３４では、全波整流回路３８を備えているので、この全波整流回路３８の一対の入力部３４1，３４2の極性がいずれであっても、フォトカプラ４４には、同一極性の出力が与えられることになり、これによって、コイン検出スイッチ３２およびコイン検出信号入力部３３に接続する各一対の外部配線１３1，１３2；１３3，１３4を、いずれに接続してもよく、配線を無極性とすることができる。
【００５４】
なお、各一対の外部配線１３1，１３2；１３3，１３4は、異なる色、例えば、白と青の絶縁材でそれぞれ被覆されている。
【００５５】
以上の構成を有するカウント信号入力回路部３４においては、コインが投入されていない状態、すなわち、コイン検出スイッチ３２がオフしている状態では、全波整流回路３８の入力部３４1，４2に電圧が印加されるので、この全波整流回路３８の出力でフォトカプラ４４の発光素子４５が発光し、これによって、受光素子４６が導通して制御部３６への出力が、ハイレベルとなり、一方、コインが投入されてコイン検出スイッチ３２がオンすると、全波整流回路３８の入力部３４1，３４2には、電圧が印加されなくなるので、フォトカプラ４４の発光素子４５が発光せず、受光素子４６が遮断されて制御部３６への出力が、ローレベルとなる。
【００５６】
したがって、コインの投入に対応するローレベルの検出信号を制御部３６で計数することにより、コインの投入個数を計数できることになる。
【００５７】
このようにして計数されたコインの投入個数を、表示開始スイッチ９の操作によって一定期間に亘って液晶表示部８にバーコード表示するのである。
【００５８】
図１６は、液晶表示部８の表示内容を示す図である。
【００５９】
この実施形態のバーコード表示カウンタ７では、スタートコードバー４７およびストップコードバー４８の他に、多数のコードキャラクターバー４９から構成されるＪＩＳ標準物流コードに相当するコードから成り、その物流コードがコイン類の計数値となっており、目視によってはそのバーコードが表示する情報内容を認識することができないものである。
【００６０】
このようにＪＩＳ標準物流コードに相当するコードを使用することにより、読み取りが容易であって、また、汎用のバーコードリーダを利用することができる。
【００６１】
なお、本発明の他の実施形態として、コイン類の計数値をバーコード表示するとともに、そのゲーム機固有のマシンコードを併せてバーコード表示するようにしてもよい。これによって、各ゲーム機毎のコイン類の投入個数の集計作業が容易となる。
【００６２】
表示されるバーには、図１７に示されるように、黒の細バー５０と、バー３本分からなる白の太バー５１と、同じくバー３本分からなる黒の太バー５２と、白の細バー５３との４種類がある。
【００６３】
このバーコード表示カウンタ７では、スタートコードバー４７とストップコードバー４８とは、配線によって固定表示されるようにしており、これによって、ＬＣＤドライバー３５によって駆動制御するドット数を低減している。
【００６４】
この実施形態のバーコード表示カウンタ７では、図１６に示されるように、バーコード表示の上方に、電池１８の残量を表示する電池残量表示部５４を備えており、バーコード表示と同時に電池残量を表示する。この電池残量表示部５４は、電池の形状の枠５５内に、電池の残量が規定レベルを越えているときには、バー表示を行い、規定レベル以下になったときには、バー表示を行わず、これによって、電池残量が規定レベル以下になったことを知らせるのである。
【００６５】
このように電池１８の残量が、規定レベル以下になったときには、対応する表示がなされるので、電池切れによる動作不良を回避することができる。
【００６６】
なお、本発明の他の実施形態として、電池１８の残量が、規定レベル以下になったときには、点滅表示させるようにしてもよい。
【００６７】
図１８は、以上の構成を有するバーコード表示カウンタ７の動作説明に供するフローチャートである。
【００６８】
先ず、コイン検出スイッチ３２からの入力パルスがあったか否かを判断し（ステップｎ１）、あったときには、入力パルスの波形幅を計測し（ステップｎ２）、計測された幅が規定の波形幅であるか否かを判断する（ステップｎ３）。
【００６９】
この規定の波形幅は、チャタリングの影響を受けることなく、しかも、営業時間が終了してゲーム機１の電源が落とされたときのパルスを取り込んで計数してしまうことがないように選定され、例えば、３０ｍｓｅｃから１秒とされる。
【００７０】
ステップｎ３において、入力パルスの波形幅が、規定の波形幅であると判断されたときには、コイン投入による入力パルスであるとして計数値をインクリメントし（ステップｎ４）、表示開始スイッチ９がオンされたか否かを判断し（ステップｎ５）、オンされたと判断したときには、液晶表示部８に計数値を含むデータをバーコード表示するとともに、電池残量を表示し（ステップｎ６）、一定時間表示したか否かを判断し（ステップｎ７）、一定時間表示したときには、液晶表示部８の表示を消してステップｎ９に移る（ステップｎ８）。このように表示開始スイッチ９が、オンされたときにのみ一定期間に亘って表示を行うので、消費電力の低減を図ることができる。
【００７１】
ステップｎ９では、電源電圧の監視を行い、電池１８の電圧値が規定レベル以下に低下しているか否かを判断し（ステップｎ１０）、低下しているときには、電池切れ表示をするためのフラグをセットしてステップｎ１に戻る（ステップｎ１１）。
【００７２】
バーコード表示カウンタ７の液晶表示部８に表示されたバーコードは、ハンディタイプのバーコードリーダで上述のように読み取られ、その読み取ったバーコードからコイン類の投入個数（売上量）を解読するものであり、これは、ラベル等に印刷または貼付されているバーコードを読み取る汎用型のバーコードリーダを使用することが可能である。
【００７３】
以上のように、コイン類の投入個数を計数してその計数値を液晶表示部８にバーコード表示するものであり、この表示されたバーコードは、目視によってその情報内容が不明であり、コイン類の投入個数（売上量）を特定の人以外に知られることなく、正確、かつ、スピーディに集計して売上げを管理することが可能であるとともに、その集計値に基づいて商品管理も効率的に行うことが可能である。
【００７４】
また、このようにコイン類の売上管理および商品管理をバーコード処理することにより、目視による読み取りミスなどの人的ミスの発生を防げるとともに、一人の専従者をおくだけで、改竄等の悪意の誤魔化しによる不正や盗難などの発生も回避することができる。
【００７５】
上述の実施の形態では、コイン検出スイッチ３２からの入力パルスの波形幅を計測し、規定の波形幅のパルスのみを計数するようにしたけれども、次のような場合には、誤った計数を行う虞れがある。
【００７６】
すなわち、例えば、ゲーム機１の電源コンセントの抜き差しを短時間で行ったような場合やゲーム機１が正常に動作しないために、電源スイッチのオフオンを瞬時に行ってゲーム機１をリセットしたような場合には、コイン検出スイッチ３２の端子間には、図１９（Ｂ），（Ｃ）に示されるような波形のパルスが得られることになり、コインの投入であるとして誤って計数される虞れがある。
【００７７】
なお、図１９（Ａ）はコインが投入された場合のパルス波形、図１９（Ｂ）は可能な限り速く電源コンセントを抜き差しした場合のパルス波形を示しており、図１９（Ｂ）において、ｔ１，ｔ２は、電源コンセントを抜き差ししたタイミングを、また、図１９（Ｃ）において、ｔ３，ｔ４は、電源スイッチをオフオンしたタイミングをそれぞれ示している。
【００７８】
この図１９に示されるように、ゲーム機１の電源コンセントを抜き差ししたり、電源スイッチをオフオンした場合には、ゲーム機１の持つ容量によって、電圧の低下、すなわち、立ち下がりが、コインの投入の場合に比べて緩やかとなる。そこで、本発明の他の実施の形態として、図２０に示されるように、全波整流された電圧を制御部３６へ取り込み、パルスが入力されたときには、図２１のステップｎに示されるように、立ち下がり時における一定時間当たりの電圧低下が、規定値以上であるか否かを判断し、規定値以上であるときには、ステップｎ２に移り、規定値未満であるときには、ステップｎ５に移る。
【００７９】
このようにコイン検出スイッチ３２の出力パルスの立ち下がり時の変化量に基づいて、計数するか否かを判別することにより、ゲーム機１の電源コンセントを抜き差ししたり、電源スイッチをオフオンした場合のパルスを、コインの投入であるとして誤って計数することがなく、正確な計数が可能となる。
【００８０】
なお、図２０，図２１は、上述の図１５，図１８に対応するものであって、その他の部分は、上述の実施の形態と同様であるので、その説明は省略する。
【００８１】
また、本発明のさらに他の実施の形態として、コイン検出スイッチ３２からの入力パルスの波形幅が、規定の波形幅であるか否かを判別することなく、パルスの立ち下がり時の変化量が規定値以上であるか否かの判別のみを行うようにしてもよい。
【００８２】
なお、上述の実施形態では、投入されるコイン類が特定の一種類の場合について説明したが、例えば、１０円、５０円，１００円といった複数の種別があるコイン類を対象とする場合は、コイン類の種別を判別する種別判別手段を設け、複数種別の各コインの投入個数を計数してそれらをバーコード表示させるようにしてもよい。
【００８３】
上述の実施形態では、バーコード表示カウンタ７は、コイン類の投入個数を計数してバーコード表示したけれども、本発明の他の実施形態として、投入個数に基づいて投入金額を演算する機能を付加し、投入金額をバーコード表示してもよく、あるいは、投入個数および投入金額の両者をバーコード表示するようにしてもよい。
【００８４】
上述の実施形態では、ゲーム機に適用して説明したけれども、本発明は、ゲーム機に限らず、アミューズメントマシン、自動販売機などのコイン類が投入される機器に適用することができるものである。
【００８５】
【発明の効果】
以上のように本発明によれば、コイン類の投入を計数してその計数値および計数値に基づく投入金額の少なくとも一方を表示するに際して、それらをバーコード表示するようにしているので、コイン類の投入個数や投入金額を、特定の人以外に知られることなく、バーコードリーダを利用して正確、かつスピーディに集計することができ、目視による読み取りミスや改竄等の悪意の誤魔化しによる不正や盗難などの発生を回避することができる。
【００８６】
また、電池を内蔵することにより、外部からの電源の供給を受ける必要がなく、当該バーコード表示装置の設置箇所の自由度が高まり、さらに、電池の残量を監視して残量表示を行うことにより、電池切れによる動作不良を防止できることになる。
【００８７】
さらに、表示開始スイッチの操作に応答して一定期間バーコード表示を行うことにより、消費電力の低減を図ることができる。
【００８８】
また、前記計数手段は、コイン検出手段の出力パルスの内、所定のパルス幅を有する出力パルスのみ、あるいは、一定時間当たりの出力レベルの変化量が所定値以上の出力パルスのみを計数するので、チャタリングやゲーム機等の電源のオンオフなどの影響を受けることなく、正確な計数が可能となる。
【００８９】
さらに、前記バーコードを、ＪＩＳ標準物流コード相当のコードとすることにより、読み取り易く、また、汎用のバーコードリーダを利用することができる。
【図面の簡単な説明】
【図１】本発明に係るバーコード表示カウンタが内蔵されたゲーム機の外観斜視図である。
【図２】本発明に係るバーコード表示カウンタの正面図である。
【図３】図２のバーコード表示カウンタの側面図である。
【図４】図２のバーコード表示カウンタの側面図である。
【図５】図２のバーコード表示カウンタの背面図である。
【図６】図２のバーコード表示カウンタの断面図である。
【図７】バーコード表示カウンタの取付状態を示す側面図である。
【図８】図７の正面図である。
【図９】取付金具を示す図である。
【図１０】バーコード表示カウンタの取付金具への取り付けを示す側面図である。
【図１１】バーコード表示カウンタの取付金具への取り付けを示す側面図である。
【図１２】取付金具を利用したバーコード表示カウンタの取り付け状態を示す側面図である。
【図１３】バーコード表示カウンタの接続状態を示す図である。
【図１４】図１３の内部構成を示すブロック図である。
【図１５】図１４のカウント信号入力回路部の回路図である。
【図１６】液晶表示部の表示内容を示す図である
【図１７】バーコードの構成を示す図である。
【図１８】動作説明に供するフローチャートである。
【図１９】コイン検出スイッチの出力波形図である。
【図２０】本発明の他の実施の形態の図１５に対応する図である。
【図２１】本発明の他の実施の形態の図１８に対応するフローチャートである。
【符号の説明】
１                  ゲーム機
７                  バーコード表示カウンタ
８                  液晶表示部
９                  表示開始スイッチ
１２                フック
１４                ケース
１５                回路基板
１６                液晶表示パネル
１８                電池
２４                取付金具
２５                支持部
２６                止着部
３２                コイン検出スイッチ
３３                コイン検出信号入力部
３４                カウント信号入力回路部
３６                制御部
３８                全波整流回路
４４                フォトカプラ
５４                電池残量表示部
【図１】
0003726352.tif 000002
【図２】
0003726352.tif 000003
【図３】
0003726352.tif 000004
【図４】
0003726352.tif 000005
【図５】
0003726352.tif 000006
【図６】
0003726352.tif 000007
【図７】
0003726352.tif 000008
【図８】
0003726352.tif 000009
【図９】
0003726352.tif 000010
【図１０】
0003726352.tif 000011
【図１１】
0003726352.tif 000012
【図１２】
0003726352.tif 000013
【図１３】
0003726352.tif 000014
【図１４】
0003726352.tif 000015
【図１５】
0003726352.tif 000016
【図１６】
0003726352.tif 000017
【図１７】
0003726352.tif 000018
【図１８】
0003726352.tif 000019
【図１９】
0003726352.tif 000020
【図２０】
0003726352.tif 000021
【図２１】
0003726352.tif 000022